(57)【特許請求の範囲】
【請求項１】
幹水管（１）に仕切弁（２）を介し接続されて下流端が止水された既設本管（３）と、その既設本管（３）から各需要家（Ｔ）に引き込まれた引込管（４）とからなる流体輸送配管網における、下記の各工程第１〜第３からなる前記既設本管の更新工法。
記
「第１工程」
更新する既設本管（３）を掘り起こし、上記仕切弁（２）を閉じた後、その仕切弁（２）と既設本管（３）の間に、その既設本管（３）の前記仕切弁（２）側の一部を撤去し、分水栓（１１）を有してその下流側に仕切弁（１２）を介設した管からなる接続ユニット（１０）を介設する。
「第２工程」
上記接続ユニット（１０）の分水栓（１１）に仮設配管（３ｂ）を接続し、その仮設配管（３ｂ）を上記既設本管（３）に沿って布設するとともに、各需要家（Ｔ）の引込管（４）を前記既設本管（３）からその仮設配管（３ｂ）に接続替えする。この作業が終われば、上記幹水管（１）と既設本管（３）の間に介設された仕切弁（２）を開放した状態で仮設配管（３ｂ）に給水して各需要家（Ｔ）に引込管（４）を介して給水可能とする。このとき、仮設配管（３ｂ）は、前記既設本管（３）の撤去用掘削溝（Ｈ５）内、又は、地上で交通の妨げにならない場所に配置し、埋め戻しは行わない。
「第３工程」
上記接続ユニット（１０）の仕切弁（１２）を閉じた状態において、その接続ユニット（１０）より下流の既設本管（３）を新設本管（３ａ）に更新した後、上記各引込管（４）を仮設配管（３ｂ）から新設本管（３ａ）に接続替えするとともに、前記接続ユニット（１０）の仕切弁（１２）を開放して新設本管（３ａ）に通水する。このとき、新設本管（３ａ）の下流端は閉じておく。この後、前記接続ユニット（１０）の分水栓（１１）を閉じた状態で、仮設配管（３ｂ）を撤去するとともに、新設本管（３ａ）を布設した上記掘削溝（Ｈ５）を埋め戻す。
【請求項２】
幹水管（１）に仕切弁（２）を介し接続されて下流端が止水された既設本管（３）と、その既設本管（３）から各需要家（Ｔ）に引き込まれた引込管（４）とからなる流体輸送配管網において、前記既設本管（３）が長くて、前記仕切弁（２）から一定長さ（Ｌ）の工区毎、既設本管（３）を新設本管（３ａ）に更新する場合は、第１工区において、下記の各工程第１〜第４を順に行った後、第２工区以降、下記各工程第１の１、同第２の１、同第３、同第４を各工区において順に繰り返し（但し、第２の１〜第４工程においての下流側接続ユニット（１０−２）が新たな上流側接続ユニット（１０−１）となる。）、その更新する既設本管（３）の工区が既設本管（３）の上記止水された下流端に至ったとき、下記各工程第１の２、同第２の２、同第３の２を順に行うことを特徴とする前記既設本管の更新工法。
記
「第１工程」
更新する既設本管（３）の上記仕切弁（２）から下流側一定長さ（Ｌ）を掘り起こし、前記仕切弁（２）を閉じた後、その仕切弁（２）と既設本管（３）の間に、その既設本管(３）の前記仕切弁（２）側の一部を撤去し、分水栓（１１）を有してその下流側に仕切弁（１２）を介設した管からなる接続ユニット（１０−１）を介設する。
「第２工程」
上記接続ユニット（１０−１）の分水栓（１１）に仮設配管（３ｂ）を接続し、その仮設配管（３ｂ）を上記一定長さ（Ｌ）の既設本管（３）に沿って布設して、各需要家（Ｔ）の引込管（４）を前記既設本管（３）からその仮設配管（３ｂ）に接続替えするとともに、上記更新する既設本管（３）の一定長さ（Ｌ）より下流側の既設本管（３）に前記仮設配管（３ｂ）の下流端を接続する。この作業が終われば、更新する既設本管（３）の前記一定長さ（Ｌ）より下流側であって上記仮設配管（３ｂ）下流端の接続部より上流側を止水（６ａ）した後、上記幹水管（１）と既設本管（３）の間に介設された仕切弁（２）を開放した状態で仮設配管（３ｂ）に給水して各需要家（Ｔ）に引込管（４）を介して給水可能とする。このとき、仮設配管（３ｂ）は、前記既設本管（３）の撤去用掘削溝（Ｈ５）内、又は、地上で交通の妨げにならない場所に配置し、埋め戻しは行わない。前記の止水（６ａ）は仮設配管（３ｂ）下流端を既設本管（３）に接続する前でも良い。
「第３工程」
上記接続ユニット（１０−１）の仕切弁（１２）を閉じた状態で、上記接続ユニット（１０−１）と上記一定長さ（Ｌ）下流端間の既設本管（３）を新設本管（３ａ）に更新するとともに、その新設本管（３ａ）の下流端と上記下流側の止水部（６ａ）の間に前記接続ユニット（１０−１）と同一構成の接続ユニット（１０−２）を介設する。
「第４工程」
上記既設本管（３）を新設本管（３ａ）に更新した後、上記各引込管（４）を仮設配管（３ｂ）から新設本管（３ａ）に接続替えするとともに、上記上流側接続ユニット（１０−１）の仕切弁（１２）を開放して新設本管（３ａ）へ通水する。この後、上記上流側接続ユニット（１０−１）の分水栓（１１）を閉じた状態で、上記仮設配管（３ｂ）を撤去し、新設本管（３ａ）を布設した上記掘削溝（Ｈ５）を、上記下流側接続ユニット（１０−２）の上流端まで埋め戻す。
「第１の１工程」
更新する既設本管（３）の上記下流側接続ユニット（１０−２）から下流側一定長さ（Ｌ）を掘り起こす。
「第２の１工程」
上記下流側接続ユニット（１０−２）の分水栓（１１）に仮設配管（３ｂ）を接続し、その仮設配管（３ｂ）を上記一定長さ（Ｌ）の既設本管（３）に沿って布設して、各需要家（Ｔ）の引込管（４）を前記既設本管（３）からその仮設配管（３ｂ）に接続替えするとともに、上記更新する既設本管（３）の一定長さ（Ｌ）より下流側の既設本管（３）に前記仮設配管（３ｂ）の下流端を接続する。この後、更新する既設本管（３）の前記一定長さ（Ｌ）より下流側であって上記仮設配管（３ｂ）下流端の接続部より上流側を止水（６ａ）した後、上記下流側接続ユニット（１０−２）の分水栓（１１）を開放して、その分水栓（１１）、仮設配管（３ｂ）、引込管（４）を介して各需要家（Ｔ）に給水可能とする。このとき、仮設配管（３ｂ）は、前記既設本管（３）の撤去用掘削溝（Ｈ５）内、又は、地上で交通の妨げにならない場所に配置し、埋め戻しは行わない。前記の止水（６ａ）は仮設配管（３ｂ）下流端を既設本管（３）に接続する前でも良い。
「第１の２工程」
更新する既設本管（３）の上記下流側接続ユニット（１０−２）から既設本管（３）の上記止水された下流端までを掘り起こす。
「第２の２工程」
上記下流側接続ユニット（１０−２）の分水栓（１１）に仮設配管（３ｂ）を接続し、その仮設配管（３ｂ）を上記既設本管（３）の下流端まで沿って布設するとともに、各需要家（Ｔ）の引込管（４）を前記既設本管（３）からその仮設配管（３ｂ）に接続替えする。これらの接続によって、前記分水栓（１１）、仮設配管（３ｂ）、引込管（４）を介して各需要家（Ｔ）に給水可能となる。このとき、仮設配管（３ｂ）は、前記既設本管（３）の撤去用掘削溝（Ｈ５）内、又は、地上で交通の妨げにならない場所に配置し、埋め戻しは行わない。
「第３の２工程」
上記下流側接続ユニット（１０−２）の仕切弁（１２）を閉じた状態で、その下流側接続ユニット（１０−２）より下流の既設本管（３）を新設本管（３ａ）に更新した後、その新設本管（３ａ）の下流端を閉じた状態で、各引込管（４）を仮設配管（３ｂ）から新設本管（３ａ）に接続替えするとともに、前記下流側接続ユニット（１０−２）の仕切弁（１２）を開放して新設本管（３ａ）へ通水する。この後、前記下流側接続ユニット（１０−２）の分水栓（１１）を閉じた状態で仮設配管（３ｂ）を撤去するとともに、新設本管（３ａ）を布設した上記掘削溝（Ｈ５）を埋め戻す。
【請求項３】
２本の幹水管（１ａ、１ｂ）の間に仕切弁（２ａ、２ｂ）をそれぞれ介してその端末が接続され、どちらの幹水管（１ａ、１ｂ）からも送水される既設本管（３）と、その既設本管（３）から各需要家（Ｔ）に引き込まれた引込管（４）とからなる流体輸送配管網における、下記の各工程１〜５からなる前記既設本管の更新工法。
記
「第１工程」
更新する既設本管（３）を掘り起こし、その掘り起こした既設本管（３）の一方の仕切弁（２ａ）より下流側であって上記需要家（Ｔ）の引込管（４）より上流側を止水（６）する。
「第２工程」
上記一方の仕切弁（２ａ）を閉止してその仕切弁（２ａ）と前記止水した止水部（６）の間の既設本管（３）を撤去した後、その一方の仕切弁（２ａ）と前記止水した止水部（６）の間に、分水栓（１１）を有してその下流側に仕切弁（１２）を介設した管からなる接続ユニット（１０）を接続する。
「第３工程」
上記分水栓（１１）に仮設配管（３ｂ）を接続し、その仮設配管（３ｂ）を上記既設本管（３）に沿って布設するとともに、上記各引込管（４）をその仮設配管（３ｂ）に接続する。この作業が終われば、上記接続ユニット（１０）の仕切弁（１２）を閉じた状態、及び上記一方の仕切弁（２ａ）を開放した状態で仮設配管（３ｂ）に給水して各需要家（Ｔ）に引込管（４）を介して給水可能とする。このとき、仮設配管（３ｂ）は、上記既設本管（３）の撤去用掘削溝（Ｈ５）内、又は、地上で交通の妨げにならない場所に配置し、埋め戻しは行わない。
「第４工程」
上記既設本管（３）の他方の仕切弁（２ｂ）を閉じて、上記接続ユニット（１０）と前記他方の仕切弁（２ｂ）の間の既設本管（３）を新設本管（３ａ）に更新する。
「第５工程」
上記既設本管（３）を新設本管（３ａ）に更新した後、上記各引込管（４）を仮設配管（３ｂ）から新設本管（３ａ）に接続替えするとともに、上記他方の仕切弁（２ｂ）と上記接続ユニット（１０）の仕切弁（１２）を開放して新設本管（３ａ）へ通水する。この後、上記接続ユニット（１０）の分水栓（１１）を閉じた状態で、仮設配管（３ｂ）を撤去し、新設本管（３ａ）を布設した上記掘削溝（Ｈ５）を埋め戻す。
【請求項４】
２本の幹水管（１ａ、１ｂ）の間に仕切弁（２ａ、２ｂ）をそれぞれ介してその端末が接続され、どちらの幹水管（１ａ、１ｂ）からも送水される既設本管（３）と、その既設本管（３）から各需要家（Ｔ）に引き込まれた引込管（４）とからなる流体輸送配管網において、前記既設本管（３）が長くて、前記仕切弁の一方（２ａ）から一定長さ（Ｌ）の工区毎、既設本管（３）を新設本管（３ａ）に更新する場合は、第１工区において、下記の各工程１〜５を順に行った後、第２工区以降、下記各工程第１の１、同第３、同第４、同第５の１を各工区において順に繰り返し（但し、工程第３〜第４においては下流側接続ユニット（１０−２）が新たな上流側接続ユニット（１０−１）となる。）、その更新する既設本管（３）の工区が前記仕切弁（２ａ、２ｂ）の他方（２ｂ）に至ったとき、各工程第１の２、同第５の２を順に行うことを特徴とする前記既設本管の更新工法。
記
「第１工程」
更新する既設本管（３）の上記仕切弁（２ａ、２ｂ）の一方（２ａ）から下流側一定長さ（Ｌ）を掘り起こし、その掘り起こした既設本管（３）の前記一方の仕切弁（２ａ）より下流側であって上記需要家（Ｔ）の引込管（４）より上流側を止水（６）する。
「第２工程」
上記一方の仕切弁（２ａ）を閉止してその仕切弁（２ａ）と前記上流側の止水した止水部（６）の間の既設本管（３）を撤去した後、その一方の仕切弁（２ａ）と前記上流側の止水した止水部（６）の間に、分水栓（１１）を有してその下流側に仕切弁（１２）を介設した管からなる接続ユニット（１０−１）を接続する。
「第３工程」
上記接続ユニット（１０−１）の分水栓（１１）に仮設配管（３ｂ）を接続し、その仮設配管（３ｂ）を上記一定長さ（Ｌ）の既設本管（３）に沿って布設するとともに、上記各引込管（４）をその仮設配管（３ｂ）に接続する。このとき、仮設配管（３ｂ）は、上記既設本管（３）の撤去用掘削溝（Ｈ５）内、又は、地上で交通の妨げにならない場所に配置し、埋め戻しは行わない。
「第４工程」
上記一方の仕切弁（２ａ）を開放した状態で仮設配管（３ｂ）を介し各引込管（４）に給水可能とし、更新する既設本管（３）の一定長さ（Ｌ）の下流端を止水（６ａ）した後、上記接続ユニット（１０−１）の仕切弁（１２）を閉じた状態で、前記接続ユニット（１０−１）と前記下流側の止水部（６ａ）の間の既設本管（３）を新設本管（３ａ）に更新する。また、前記新設本管（３ａ）の下流端と前記下流側の止水部（６ａ）の間には前記接続ユニット（１０−１）と同一構成の接続ユニット（１０−２）を介設する。前記止水（６ａ）は、既設本管（３）を新設本管（３ａ）に更新する前であれば何時でも良い。
「第５工程」
上記既設本管（３）を新設本管（３ａ）に更新した後、上記各引込管（４）を仮設配管（３ｂ）から新設本管（３ａ）に接続替えするとともに、上記上流側接続ユニット（１０−１）の仕切弁（１２）を開放して新設本管（３ａ）へ通水する。この後、前記上流側接続ユニット（１０−１）の分水栓（１１）を閉じた状態で仮設配管（３ｂ）を撤去し、新設本管（３ａ）を布設した上記掘削溝（Ｈ５）を、前記下流側接続ユニット（１０−２）の上流端まで埋め戻す。
「第１の１工程」
更新する既設本管（３）の上記下流側接続ユニット（１０−２）から下流側一定長さ（Ｌ）を掘り起こす。
「第５の１工程」
上記既設本管（３）を新設本管（３ａ）に更新した後、上記各引込管（４）を仮設配管（３ｂ）から新設本管（３ａ）に接続替えするとともに、上記下流側接続ユニット（１０−２）の仕切弁（１２）を開放して新設本管（３ａ）へ通水する。この後、上記下流側接続ユニット（１０−２）の分水栓（１１）を閉じた状態で仮設配管（３ｂ）を撤去し、新設本管（３ａ）を布設した上記掘削溝（Ｈ５）を、前記下流側接続ユニット（１０−２）のさらに下流側接続ユニット（１０）の上流端まで埋め戻す。
「第１の２工程」
更新する既設本管（３）の上記さらに下流側接続ユニット（１０）から他方の仕切弁（２ｂ）までを掘り起こし、そのさらに下流側接続ユニット（１０）の分水栓（１１）に仮設配管（３ｂ）を接続し、その仮設配管（３ｂ）を上記既設本管（３）の上記他方の仕切弁（２ｂ）まで沿って布設するとともに、前記各引込管（４）をその仮設配管（３ｂ）に接続して前記分水栓（１１）、仮設配管（３ｂ）、引込管（４）を介して各需要家（Ｔ）に給水可能とする。このとき、仮設配管（３ｂ）は、前記既設本管（３）の撤去用掘削溝（Ｈ５）内、又は、地上で交通の妨げにならない場所に配置し、埋め戻しは行わない。その後、そのさらに下流側接続ユニット（１０）の仕切弁（１２）を閉じた状態で、上記既設本管（３）の他方の仕切弁（２ｂ）を閉じ、前記さらに下流側接続ユニット（１０）と前記他方の仕切弁（２ｂ）の間の既設本管（３）を新設本管（３ａ）に更新する。
「第５の２工程」
上記既設本管（３）を新設本管（３ａ）に更新した後、各引込管（４）を仮設配管（３ｂ）から新設本管（３ａ）に接続替えするとともに、上記さらに下流側接続ユニット（１０）の仕切弁（１２）と上記他方の仕切弁（２ｂ）を開放して新設本管（３ａ）へ通水する。この後、前記さらに下流側接続ユニット（１０）の分水栓（１１）を閉じた状態で仮設配管（３ｂ）を撤去し、新設本管（３ａ）を布設した上記掘削溝（Ｈ５）を前記他方の仕切弁（２ｂ）まで埋め戻す。
【請求項５】
請求項１乃至４の何れか１つに記載の既設本管の更新工法において、上記新設本管（３ａ）の洗浄・殺菌を行う場合は、上記接続ユニット（１０）を２個の分水栓（１１ａ、１１ｂ）を有してその両分水栓（１１ａ、１１ｂ）の間に仕切弁（１２）を介設した管からなるものとし、上記仮設配管（３ｂ）は前記両分水栓（１１ａ、１１ｂ）の上流側分水栓（１１ａ）に接続し、前記既設本管（３）を新設本管（３ａ）に更新後、前記接続ユニット（１０）の下流側分水栓（１１ｂ）から前記新設本管（３ａ）に洗浄・殺菌液（ａ）を注入しその新設本管（３ａ）の下流端から排水して洗浄・殺菌した後、上記引込管（４）の仮設配管（３ｂ）から新設本管（３ａ）の接続替えをするとともに、前記接続ユニット（１０）の両分水栓（１１ａ、１１ｂ）を閉じた状態で前記仮設配管（３ｂ）の撤去に移行することを特徴とする既設本管の更新工法。
【請求項６】
上記接続ユニット（１０）は、分水栓（１１、１１ａ、１１ｂ）及び仕切弁（１２）が予め設けられたものとすることを特徴とする請求項１乃至５の何れかに記載の既設本管の更新工法。
【発明の詳細な説明】
【技術分野】
【０００１】
この発明は、上水道をはじめ流体輸送配管網におけるその既設管更新工事の工法及びその工法に使用する接続ユニットに関するものである。
【背景技術】
【０００２】
近年、我が国は、上水道等の流体輸送配管網のインフラは１００％近くになったが、その既設本管の更新を迎えるものが多くなっている。例えば、上水道配管網は、図９−１〜３に示すように、幹水管１、１の間に仕切弁２を介してそれぞれ本管３を接続し、その本管３から各需要家（需要者）Ｔに引込管４を水道メータＭ等を介して引き込んだ態様が一般的である。
【０００３】
この水道配管網において、既設本管（既設本管）３を更新する一工法として、図８（ＩＩ）、図９−１〜図９−３に示すように、まず、既設本管３と並行して（既設本管３の横に）新設本管（新設本管）３ａを掘削溝Ｈ１を形成して埋設する（図８（ＩＩ）の（ａ）、図９−１）。このとき、各需要家Ｔへの引込管４との接続部の掘削溝Ｈ１は埋め戻しせずに、続いて、その接続部から引込管４まで掘削溝Ｈ２を形成し、その引込管４をその既設本管３から新設本管３ａに接続替えする（図８（ＩＩ）の（ｂ）、図９−２）。さらに、その新設本管３ａ及び引込管４の掘削溝Ｈ１、Ｈ２を埋め戻すとともに、既設本管３を掘削溝Ｈ３を形成してその撤去とその撤去後の掘削溝Ｈ３の埋め戻し工事（図８（ＩＩ）の（ｃ）、図９−３）を行うものがある（別位置布設替工法）。
【０００４】
また、他の工法として、図８（ＩＩＩ）、図１０−１〜図１０−４に示すように、まず、既設本管３に沿って仮設配管３ｂ用の溝Ｈ４を掘削してその掘削溝Ｈ４内に仮設配管３ｂを布設するとともに、各需要家Ｔへの引込管４を既設本管３からその仮設配管３ｂに切り替するとともに、溝Ｈ４を埋め戻す（図８（ＩＩＩ）の（ａ）、図１０−１）。つぎに、既設本管３を掘削溝Ｈ５を形成して撤去するとともに（図８（ＩＩＩ）の（ｂ）、図１０−２）、その掘削溝Ｈ５に新設本管３ａを布設替えする（図８（ＩＩＩ）の（ｃ）、図１０−３）。さらに、引込管４の対応する仮設配管３ｂから新設本管３ａまでを掘削して（掘削溝Ｈ６）、各引込管４を仮設配管３ｂから新設本管３ａに切り替し（図８（ＩＩＩ）の（ｃ）、図１０−３）、さらに、仮設配管３ｂの撤去（掘削溝Ｈ４’の形成）とその撤去後の掘削溝Ｈ４’の埋め戻し工事（図８（ＩＩＩ）の（ｄ）、図１０−４）を行うものがある（同位置布設替工法：仮設方式、特許文献１）。
【先行技術文献】
【特許文献】
【０００５】
【特許文献１】特開昭６２−２０８６号公報
【特許文献２】特開２００２−１３０５７９号公報
【特許文献３】特開２００７−１７７９４５号公報
【発明の概要】
【発明が解決しようとする課題】
【０００６】
上記別位置布設替工法及び同位置布設替工法の両者ともに、仮設配管３ｂ、新設本管３ａの掘削埋設や既設本管３の掘削撤去を別々にするのは、すなわち、それらを埋設し得る幅の溝Ｈ１〜Ｈ３を掘削して一度にそれら３、３ａ、３ｂの埋設撤去を行わないのは、その溝Ｈ１〜Ｈ６の溝幅が広くなって、通常、これら３、３ａ、３ｂは道路に布設されているため、交通の邪魔となり、一日でその掘削、埋設や埋め戻しを終了しなくてはならないからである。しかし、この布設替期間は、その道路に種々の機械や管等の機材が置かれるため、交通の邪魔（障害）となって不便となる。
【０００７】
この一日でその掘削、埋設や埋め戻しを終了しなくてはならないことから、上記別位置布設替工法は、掘削溝Ｈ１、Ｈ２、Ｈ３の掘削・埋め戻しが３回あることから、最低、３日、同位置布設替工法は、掘削溝Ｈ４、Ｈ５、Ｈ６、Ｈ４’の掘削・埋め戻しが４回あることから、同４日が必要となっている。この日数がかかることは、交通の不便期間が長くなるとともに、コストも高いものとなっている。今日の経費削減から、その施工期間の短縮が望まれている。
【０００８】
この発明は、上記の実情に鑑み、工事時間の短縮と工事コストの低減を図ることを課題とする。
【課題を解決するための手段】
【０００９】
上記課題を達成するために、この発明は、まず、既設本管撤去と新設本管布設を同じ掘削溝内で行うこととしたのである。既設本管撤去用溝と新設本管布設用溝とを別々に掘削、埋め戻すことがないため、その工事費が削減でき、工期も短縮できる。このとき、仮設配管は、既設本管の撤去用掘削溝内、又は、地上で交通の妨げにならない場所に配置し、埋め戻しは行わない。
つぎに、この発明は、上記仕切弁と更新する既設本管の間に、分水栓を有してその下流側に仕切弁を介設した管からなる接続ユニットを介設することとしたのである。これによって、その接続ユニットの仕切弁を閉止してそれより下流を止水し、前記既設本管の仕切弁を閉止することなく、既設本管から新設本管の取替え（更新）を可能とするとともに、前記分水栓を介して各需要家への給水及び新設本管の洗浄・殺菌を可能とし得る。
【００１０】
この発明の具体的な一構成としては、まず、幹水管に仕切弁を介して接続され下流端が閉止（止水）された既設本管と、その既設本管から各需要家に引き込まれた引込管とからなる流体輸送配管網においては、下記の各工程１〜３からなる構成を採用したのである。
記
「第１工程」
更新する既設本管を掘り起こし、上記仕切弁を閉じた後、その仕切弁と既設本管の間に、その既設本管の前記仕切弁側の一部を撤去し、分水栓を有してその下流側に仕切弁を介設した管からなる接続ユニットを介設する。
「第２工程」
上記接続ユニットの分水栓に仮設配管を接続し、その仮設配管を上記既設本管に沿って布設するとともに、各需要家の引込管を前記既設本管からその仮設配管に接続替えする。この作業が終われば、上記幹水管と既設本管の間に介設された仕切弁を開放した状態で仮設配管に給水して各需要家に引込管を介して給水可能とする。このとき、仮設配管は、前記既設本管の撤去用掘削溝内、又は、地上で交通の妨げにならない場所に配置し、埋め戻しは行わない。また、引込管の新設本管への接続は、新設本管にサドル分水栓を布設する等によって行う。
なお、上記幹水管と既設本管の間に介設された仕切弁の開放状態は、接続ユニットの仕切弁が閉じておれば、その接続ユニットを介設した後、仮設配管に給水するまでの何時でも良い。接続ユニットの仕切弁が閉じられていなければ、その仕切弁を閉じた後に閉じる。以下、仮設配管に給水する場合における幹水管と既設本管の間に介設された仕切弁の開放状態は同様とする。
「第３工程」
上記接続ユニットの仕切弁を閉じた状態において、その接続ユニットより下流の既設本管を新設本管に更新した後、各引込管を仮設配管から新設本管に接続替えするとともに、接続ユニットの仕切弁を開放して新設本管に通水する。このとき、新設本管の下流端は閉じておく。この後、接続ユニットの分水栓を閉じた状態で仮設配管を撤去するとともに、新設本管を布設した上記掘削溝を埋め戻す。
【００１１】
なお、上記接続ユニットの仕切弁を閉じた状態とするのは、既設本管を新設本管に更新する前であれば何時でも良く、例えば、予めその仕切弁が閉じられた接続ユニットとし得る（以下、同様）。また、接続ユニットの分水栓を閉じた状態とするのは、仮設配管を除去する前であれば、その仮設配管の通水に支障がない限りにおいて何時でも良く、例えば、引込管を仮設配管から新設本管に接続替えする前とし得る（以下、同様）。
さらに、この更新工法において、新設本管下流端からの排水は、その新設本管の末端に、消火栓、排水Ｔ字管、分水栓等を設けて排水機能を持たせることによって行う（以下、同様）。
【００１２】
この更新工法において、上記既設本管が長くて、上記仕切弁から一定長さの工区毎、既設本管を新設本管に更新する場合は、第１工区において、下記の各工程第１〜第４を順に行った後、第２工区以降、下記各工程第１の１、同第２の１、同第３、同第４を各工区において順に繰り返し（但し、第２の１〜４工程においての下流側接続ユニットが新たな上流側接続ユニットとなる。）、その更新する既設本管の工区が既設本管の上記止水された下流端に至ったとき、下記各工程第１の２、同第２の２、同第３の２を順に行うことを特徴とする前記既設本管の更新工法。
記
「第１工程」
更新する既設本管の上記仕切弁から一定長さを掘り起こし、前記仕切弁を閉じた後、その仕切弁と既設本管の間に、その既設本管の前記仕切弁側の一部を撤去し、分水栓を有してその下流側に仕切弁を介設した管からなる接続ユニットを介設する。
「第２工程」
上記接続ユニットの分水栓に仮設配管を接続し、その仮設配管を上記一定長さの既設本管に沿って布設して、各需要家の引込管を前記既設本管からその仮設配管に接続替えするとともに、上記更新する既設本管の一定長さより下流側の既設本管に前記仮設配管の下流端を接続する。この作業が終われば、更新する既設本管の前記一定長さより下流側であって上記仮設配管下流端の接続部より上流側を止水した後、上記幹水管と既設本管の間に介設された仕切弁を開放した状態で仮設配管に給水して各需要家に引込管を介して給水可能とする。このとき、仮設配管は、前記既設本管の撤去用掘削溝内、又は、地上で交通の妨げにならない場所に配置し、埋め戻しは行わない。前記の止水は仮設配管下流端を既設本管に接続する前でも良い。
「第３工程」
上記接続ユニットの仕切弁を閉じた状態で、上記接続ユニットと上記一定長さ下流端間の既設本管を新設本管に更新するとともに、その新設本管の下流端と上記下流側の止水部の間に前記接続ユニットと同一構成の接続ユニットを介設する。前記接続ユニットの仕切弁を閉じるのは、上記幹水管と既設本管の間に介設された仕切弁を開放する前とすることができる。
「第４工程」
上記既設本管を新設本管に更新した後、各引込管を仮設配管から新設本管に接続替えするとともに、上記上流側接続ユニットの仕切弁を開放して新設本管に通水する。この後、上記上流側接続ユニットの分水栓を閉じた状態で仮設配管を撤去し、新設本管を布設した上記掘削溝を、上記下流側接続ユニットの上流端まで埋め戻す。
「第１の１工程」
更新する既設本管の上記下流側接続ユニットから下流側一定長さ（Ｌ）を掘り起こす。
「第２の１工程」
上記下流側接続ユニットの分水栓に仮設配管を接続し、その仮設配管を上記一定長さの既設本管に沿って布設して、各需要家の引込管を前記既設本管からその仮設配管に接続替えするとともに、上記更新する既設本管の一定長さより下流側の既設本管に前記仮設配管の下流端を接続する。この後、更新する既設本管の前記一定長さより下流側であって上記仮設配管下流端の接続部より上流側を止水した後、上記下流側接続ユニットの分水栓を開放して、その分水栓、仮設配管、引込管を介して各需要家に給水可能とする。このとき、仮設配管は、前記既設本管の撤去用掘削溝内、又は、地上で交通の妨げにならない場所に配置し、埋め戻しは行わない。前記の止水は仮設配管下流端を既設本管に接続する前でも良い。
「第１の２工程」
更新する既設本管の上記下流側接続ユニットから既設本管の上記止水された下流端までを掘り起こす。
「第２の２工程」
上記下流側接続ユニットの分水栓に仮設配管を接続し、その仮設配管を上記既設本管の下流端まで沿って布設するとともに、各需要家の引込管を前記既設本管からその仮設配管に接続替えする。これらの接続によって、前記分水栓、仮設配管、引込管を介して各需要家に給水可能となる。このとき、仮設配管は、前記既設本管の撤去用掘削溝内、又は、地上で交通の妨げにならない場所に配置し、埋め戻しは行わない。
「第３の２工程」
上記下流側接続ユニットの仕切弁を閉じた状態で、その下流側接続ユニットより下流の既設本管を新設本管に更新した後、その新設本管の下流端を閉じた状態で、各引込管を仮設配管から新設本管に接続替えするとともに、前記下流側接続ユニットの仕切弁を開放して新設本管に通水する。この後、前記下流側接続ユニットの分水栓を閉じた状態で仮設配管を撤去するとともに、新設本管を布設した上記掘削溝を埋め戻す。
【００１３】
つぎに、２本の幹水管の間に仕切弁をそれぞれ介してその端末が接続され、どちらの幹水管からも送水される既設本管と、その既設本管から各需要家に引き込まれた引込管とからなる流体輸送配管網においては、下記の各工程１〜５からなる構成を採用したのである。なお、この既設本管には、その両端のどちらからも送水可能であるため、上流、下流の区別がないが、本願においては、一方の幹水管との間の仕切弁側を「上流」、他方の幹水管との間の仕切弁側を「下流」とする。
記
「第１工程」
更新する既設本管を掘り起こし、その掘り起こした既設本管の一方の仕切弁より下流側であって上記需要家の引込管より上流側を止水する。
「第２工程」
上記一方の仕切弁を閉止してその仕切弁と前記止水した止水部の間の既設本管を撤去した後、その一方の仕切弁と前記止水した止水部の間に、分水栓を有してその下流側に仕切弁を介設した管からなる接続ユニットを接続する。
「第３工程」
上記分水栓に仮設配管を接続するとともに、上記各引込管をその仮設配管に接続する。この作業が終われば、一方の仕切弁を開放した状態で仮設配管に給水して各需要家に引込管を介して給水可能とする。このとき、仮設配管は、上記既設本管の撤去用掘削溝内、又は、地上で交通の妨げにならない場所に配置し、埋め戻しは行わない。
「第４工程」
上記既設本管の他方の仕切弁を閉じて、上記接続ユニットと前記他方の仕切弁の間の既設本管を新設本管に更新する。
「第５工程」
上記既設本管を新設本管に更新した後、各引込管を仮設配管から新設本管に接続替えするとともに、上記他方の仕切弁と上記接続ユニットの仕切弁を開放して新設本管に通水する。この後、前記接続ユニットの分水栓を閉じた状態で仮設配管を撤去し、新設本管を布設した上記掘削溝を埋め戻す。
【００１４】
この更新工法において、上記既設本管が長くて、上記仕切弁の一方から一定長さの工区毎、新設本管に更新する場合は、第１工区において、下記の各工程第１〜５を順に行った後、第２工区以降、下記各工程第１の１、同第３、同第４、同第５の１を各工区において順に繰り返し（但し、工程第３〜第４においては下流側接続ユニットが新たな上流側接続ユニットとなる。）、その更新する既設本管の工区がその仕切弁の他方に至ったとき、下記各工程第１の２、同第５の２を順に行う構成を採用する。
記
「第１工程」
更新する既設本管の上記仕切弁の一方から下流側一定長さを掘り起こし、その掘り起こした既設本管の前記一方の仕切弁より下流側であって上記需要家の引込管より上流側を止水する。
「第２工程」
上記一方の仕切弁を閉止してその仕切弁と前記上流側の止水した止水部の間の既設本管を撤去した後、その一方の仕切弁と前記上流側の止水した止水部の間に、分水栓を有してその下流側に仕切弁を介設した管からなる接続ユニットを接続する。
「第３工程」
上記接続ユニットの分水栓に仮設配管を接続し、その仮設配管を上記一定長さの既設本管に沿って布設するとともに、上記各引込管をその仮設配管に接続する。このとき、仮設配管は、上記既設本管の撤去用掘削溝内、又は、地上で交通の妨げにならない場所に配置し、埋め戻しは行わない。
「第４工程」
上記一方の仕切弁を開放した状態で仮設配管を介し各引込管に給水可能とし、更新する既設本管の一定長さの下流端を止水した後、上記接続ユニットの仕切弁を閉じた状態で、その接続ユニットと上記下流側の止水部の間の既設本管を新設本管に更新する。また、前記新設本管の下流端と前記下流側の止水部の間には前記接続ユニットと同一構成の接続ユニットを介設する。前記下流端の止水は、既設本管を新設本管に更新する前であれば何時でも良い。
「第５工程」
上記既設本管を新設本管に更新した後、上記各引込管を仮設配管から新設本管に接続替えするとともに、上記上流側接続ユニットの仕切弁を開放して新設本管に通水する。この後、前記上流側接続ユニットの分水栓を閉じた状態で仮設配管を撤去し、新設本管を布設した上記掘削溝を、前記下流側接続ユニットの上流端まで埋め戻す。
「第１の１工程」
更新する既設本管の上記下流側接続ユニットから下流側一定長さを掘り起こす。
「第５の１工程」
上記既設本管を新設本管に更新した後、上記各引込管を仮設配管から新設本管に接続替えするとともに、上記下流側接続ユニットの仕切弁を開放して新設本管に通水する。この後、前記下流側接続ユニットの分水栓を閉じた状態で仮設配管を撤去し、新設本管を布設した上記掘削溝を、前記下流側接続ユニットのさらに下流側接続ユニット上流端まで埋め戻す。
「第１の２工程」
更新する既設本管の上記さらに下流側接続ユニットから上記他方の仕切弁までを掘り起こし、その下流側接続ユニットの分水栓に仮設配管を接続し、その仮設配管を前記他方の仕切弁まで沿って布設するとともに、上記各引込管をその仮設配管に接続して、前記分水栓、仮設配管、引込管を介して各需要家に給水可能とする。このとき、仮設配管は、既設本管の撤去用掘削溝内、又は、地上で交通の妨げにならない場所に配置し、埋め戻しは行わない。この後、そのさらに下流側接続ユニットの仕切弁及び他方の仕切弁を閉じ、この接続ユニットと他方の仕切弁の間の既設本管を新設本管に更新する。
「第５の２工程」
上記既設本管を新設本管に更新した後、上記各引込管を仮設配管から新設本管に接続替えするとともに、上記さらに下流側分接続ユニットの仕切弁と上記他方の仕切弁を開放して新設本管に通水する。この後、前記さらに下流側分接続ユニットの分水栓を閉じた状態で仮設配管を撤去し、新設本管を布設した上記掘削溝を前記他方の仕切弁まで埋め戻す。
【００１５】
上記の各既設本管の更新工法において、上記新設本管の洗浄・殺菌を行う場合は、上記接続ユニットを２個の分水栓を有してその両分水栓の間に仕切弁を介設した管からなるものとし、上記仮設配管はその両分水栓の上流側分水栓に接続し、既設本管を新設本管に更新後、接続ユニットの下流側分水栓から新設本管に洗浄・殺菌液を注入しその新設本管の下流端から排水して洗浄・殺菌した後、上記引込管の仮設配管から新設本管への接続替えをするとともに、前記接続ユニットの両分水栓を閉じた状態で前記仮設配管の撤去に移行するようにする。
この場合、洗浄・殺菌液の注入は、下流側接続ユニットの分水栓又は新設本管の排水栓（下端）から行い、上流側接続ユニットの下流側分水栓から排出するようにすることができる。
また、接続ユニットの仕切弁を開放することによる新設本管への通水は、洗浄・殺菌後、直ぐに行ったり、引込管の接続替え後に行ったりし得る。前者の場合、新設本管には通水状態での引込管の接続となるが、上記特許文献２に記載の手段などを採用して、管路にその流体流通状態を維持しつつ分水栓を設ける。
【００１６】
以上の各構成において、上記接続ユニットの分水栓及び仕切弁は、現場において取付けても良いが、工場等の現場以外で設けて、その分水栓等を有する接続ユニットを現場に持ち込むようにすれば、すなわち、分水栓及び仕切弁が予め設けられた接続ユニットとすれば、その接続ユニットの作成が容易となってコストと作業時間の低減となる。
また、上記既設本管の止水は、種々の手段が考え得るが、例えば、不断水バルブの介設又は凍結工法によって行うことができる。不断水バルブは、管路にその流体流通状態を維持しつつ弁を取付け得るものであって、例えば、特許文献３に記載のものである。凍結工法は、配管の一部をベニヤ板や発泡スチロール等の仮設容器で包み、その容器内に液体窒素等の極低温液体を満たして、その配管内を凍結させて、仕切弁の代りとするものである。止水状態を開放するには、熱湯等を容器内に入れて配管内の氷を解凍したり、自然解凍したりする。
さらに、管路にその流体流通状態を維持しつつ分水栓を設ける場合には特許文献２に記載の手段などを採用する。
なお、上記の各発明において、仮設配管を既設本管に沿って布設する作業は、その更新する既設本管の掘り起こしを行う前に行うこともできる。
【発明の効果】
【００１７】
この発明は、以上のように構成して、仮設配管は埋設せず、既設本管を掘削撤去するとともに、その撤去後に新設本管を埋設し、かつ接続ユニットでもって各需要家への給水を行い得るようにしたので、各需要家への給水停止時間を最小限に抑えて、既設本管の布設替作業を短時間で行えるとともに、その作業コストも安価なものとなる。
【図面の簡単な説明】
【００１８】
【図１】（ａ）〜（ｅ）はこの発明に係る既設本管の更新工法の一実施形態の作業説明図
【図２−１】（ａ）〜（ｃ）は同実施形態の接続ユニットの各要部の組立て説明図
【図２−２】（ａ）〜（ｃ）は同接続ユニットの各要部の組立て説明図
【図２−３】同接続ユニットの要部の組立て説明図
【図２−４】（ａ）は同接続ユニットの要部の平面図、（ｂ）は同正面図
【図３】（ａ）〜（ｄ）は他の実施形態の作業説明図
【図４】（ａ）〜（ｄ）は他の実施形態の作業説明図
【図５】（ａ）、（ｂ）は他の実施形態の作業説明図
【図６】（ａ）〜（ｄ）は他の実施形態の作業説明図
【図７】（ａ）〜（ｅ）は他の実施形態の作業説明図
【図８】この発明と従来例との比較説明図であって、（Ｉ）はこの発明、（ＩＩ）、（ＩＩＩ）は従来例
【図９−１】（ａ）は従来の既設本管の更新工法の一例の作業説明用概略平面図、（ｂ）は同概略切断図
【図９−２】（ａ）は同例の作業説明用概略平面図、（ｂ）は同概略切断図
【図９−３】（ａ）は同例の作業説明用概略平面図、（ｂ）は同概略切断図
【図１０−１】（ａ）は他の従来の既設本管の更新工法の一例の作業説明用概略平面図、（ｂ）は同概略切断図
【図１０−２】（ａ）は同例の作業説明用概略平面図、（ｂ）は同概略切断図
【図１０−３】（ａ）は同例の作業説明用概略平面図、（ｂ）は同概略切断図
【図１０−４】（ａ）は同例の作業説明用概略平面図、（ｂ）は同概略切断図
【発明を実施するための形態】
【００１９】
この一実施形態は、図１に示すように、２本の幹水管１ａ、１ｂの間に仕切弁２ａ、２ｂをそれぞれ介してその端末が接続され、どちらの幹水管１ａ、１ｂからも送水される既設本管３と、その既設本管３から各需要家Ｔに引き込まれた引込管４、４・・とからなる上水道等の流体輸送配管網に関するものである。既設本管３はダクタイル鋳鉄管等の管材からなって、両幹水管１ａ、１ｂからは受口と挿し口が逆向きとなっているため、適宜位置に継ぎ輪５が介設されている。この既設本管３は長くて、前記仕切弁２ａ、２ｂの一方２ａから一定長さＬの工区毎、その工区の既設本管３を新設本管３ａに更新する場合であって、図１で示す以下の工程第１〜第５で行う。
【００２０】
「第１工程」
更新する既設本管３の一方の端より下流側であって需要家の引込管４より上流側を止水する（図１（ａ））。この止水は、上記不断水バルブ６でもって行う。その不断水バルブ６の施工は特許文献３等に記載の周知の作業でもって行う。このとき、不断水バルブ６の位置は、後記の接続ユニット１０をその不断水バルブ６と一方の端の仕切弁２ａの間に介設し得る間隔を有するように設定する。図中、Ｈ７は止水作業用掘削孔である。
つぎに、既設本管３が開放されるように、その既設本管３に沿ってその一方の端（一方の仕切弁２ａ）から、一日で施工（掘削埋め戻し）ができる範囲（長さ）Ｌの掘削溝Ｈ５を形成する。その掘削溝Ｈ５の他方の端に露出する既設本管３に不断水バルブ６ａを介設する。なお、上記不断水バルブ６の介設は、この掘削溝Ｈ５を形成した後でも良い。
【００２１】
「第２工程」
一方の端の仕切弁２ａと上記不断水バルブ６を閉止して、その不断水バルブ６から一方の端（仕切弁２ａ）に至る既設本管３への両幹水管１ａ、１ｂからの給水を停止する。このとき、不断水バルブ６から下流側は、他方の仕切弁２ｂが開放されていることから、その仕切弁２ｂを介して給水され続ける。
つぎに、その一方の仕切弁２ａと不断水バルブ６の間の既設本管３を撤去するとともに、２個の分水栓１１ａ、１１ｂ（両者の総称符号：１１）を有してその両分水栓１１の間に閉止状態の仕切弁１２を介設した管からなる接続ユニット１０−１（総称符号：１０）を乙切管１３、継ぎ輪１４を介して接続する（図１（ｂ））。仕切弁１２は両受口形式のソフトシール弁からなる。これら（接続ユニット１０、乙切管１３及び継ぎ輪１４）は、工場等において前もって組み立てたユニットとしておくことが好ましい。ユニットであれば、現場に運び込むだけで施工ができて、その施工時間の短縮を図ることができる。
【００２２】
分水栓１１ａ、１１ｂの取付は、現場において行っても良いが、工場等において前もって行っておくと、施工時間の短縮が図れて望ましい。その取付態様としては、図１、図２−１（ａ）、図２−２（ａ）に記載のように、両挿し短管１３としたり、図２−１（ｂ）、図２−２（ｂ）に記載のように、受挿し短管１３ａ又は直管（甲切管）としたり、図２−１（ｃ）、図２−２（ｃ）に記載のように、両受け短管１３ｂとしたり、さらに、図２−３に記載のように、フランジ付短管１３（継ぎ輪１４）としたり、図２−４に記載のように、両受口形式のソフトシール弁１２としたりすることができる。これらを適宜に組み合わせて適宜な構成の上記接続ユニット１０を製作する。
また、その分水栓１１の形式も、図２−１、図２−３、図２−４に示すねじ込み式としたり（ねじ：１１ｄ）、図２−２に示すサドル式としたりすることができる（サドル：１１ｅ）。この分水栓１１の設置を不断水で行わなければならない場合は、特許文献２等に記載の周知の方法を採用する。さらに、ねじ１１ｄに代えて耐震ユニオンとし得る。
【００２３】
「第３工程」
上記両分水栓１１ａ、１１ｂの上流側（１１ａ）に仮設配管３ｂを接続して掘削溝Ｈ５内に（埋設することなく）布設するとともに、上記各引込管４をその仮設配管３ｂに接続替えする（図１（ｂ））。この接続替えは、メータＭ近傍の既設止水弁を閉じることによって既設本管３からの通水を停止した後、そのメータＭを仮設配管３ｂに接続することによって行う。この接続替え後、一方の仕切弁２ａを開放することによって、各需要家Ｔには給水し得る。この後、下流の不断水バルブ６ａを閉止する。この不断水バルブ６ａはこの時点で介設して他方の仕切弁２ｂからの通水を停止するようにし得る。この接続替え時間だけが、各需要家Ｔへの通水停止時間となって極めて短時間とし得る。なお、不断水バルブ６ａから下流は、他方の仕切弁２ｂが開放されていることから、その仕切弁２ｂを介して給水され続ける。
【００２４】
「第４工程」
上記両受口形式のソフトシール弁（接続ユニット１０−１の仕切弁）１２を閉じた状態で、接続ユニット１０−１と不断水バルブ６ａの間の既設本管３を新設本管３ａに更新するとともに、その新設本管３ａの他端とその不断水バルブ６ａの間に、新たに、前記接続ユニット１０−１と同一構成の接続ユニット１０−２を介設する（図１（ｃ））。これらの接続ユニット１０は新設本管３ａと同等の管材で構成されるので、新設本管３ａの一部として機能する。
【００２５】
「第５工程」
上記一方の仕切弁２ａ側の接続ユニット１０−１の両分水栓の下流側１１ｂから、洗浄水ａ（殺菌用塩素水も含む）を送り込んで新設本管３ａの洗浄・殺菌を行う。このとき、新設本管３ａ下流側接続ユニット１０−２の下流側分水栓１１ｂからその洗浄水ａを排出（排水）する。このとき、下流側接続ユニット１０−２の上流側の分水栓１１ａから排出してもよいが、下流側分水栓１１ｂから排出すると、接続ユニット１０−２のほぼ全長が洗浄されるため好ましい。この洗浄によって、新設本管３ａは給水可能となる（図１（ｃ））。このため、上記仮設配管３ｂに接続した引込管４をその新設本管３ａに接続換えする。このとき、メータＭ近傍の既設止水弁や引込管４等の古くなった機材も取替えることができる。
【００２６】
この後、一方の仕切弁２ａ側の接続ユニット１０−１の仕切弁１２を開放してその新設本管３ａに給水し、各引込管４に給水可能とする（図１（ｄ））。このとき、接続ユニット１０の各分水栓１１は全て閉じられている。
さらに、仮設配管３ｂを撤去し、新設本管３ａをその下流側接続ユニット１０−２の上流端まで埋め戻し、舗装を行う（図１（ｄ）、図８（Ｉ）（ｃ））。
以上までの作業において、掘削溝Ｈ５の掘削・埋め戻しは一回であり、その作業数も少ないため、一日で、所要長さＬの既設本管３の更新作業を終了し得る。
【００２７】
つぎに、明日等の再作業日、さらに、既設本管３の更新（既設本管３の長さＬの更新）をするため、更新する既設本管３の上記下流側接続ユニット１０−２から下流側一定長さＬを掘り起こし（図１（ｄ）、特許請求の範囲における（以下、同様）第１の１工程）、以後、上記第３〜第４工程を行い、さらに、既設本管３の新設本管３ａへの更新及びその新設本管３ａの洗浄・殺菌をした後、各引込管４を仮設配管３ｂから新設本管３ａに接続替えするとともに、上記下流側接続ユニット１０−２の仕切弁１２を開放して新設本管３ａに通水する。
この後、上記下流側接続ユニット１０−２の分水栓１１を閉じた状態で仮設配管３ｂを撤去し、新設本管３ａを布設したＨ５掘削溝を下流側接続ユニット１０−２のさらに下流側接続ユニット１０上流端まで埋め戻し、舗装する（第５の１工程）。
【００２８】
この作業を繰り返して、更新する既設本管３の工区が他方の仕切弁２ｂに至れば、更新する既設本管３の上記接続ユニット１０（１０−２）からその他方の仕切弁２ｂまでを掘り起こし、その接続ユニット１０の上流側分水栓１１ａに仮設配管３ｂを接続し、その仮設配管３ｂを既設本管３の他方の仕切弁２ｂまで沿って布設するとともに、その各引込管４をその仮設配管３ｂに接続して分水栓１１ａ、仮設配管３ｂ、引込管４を介して各需要家Ｔに給水可能とする。その後、その接続ユニット１０の仕切弁１２を閉じた状態で、既設本管３の他方の仕切弁２ｂを閉じ、その下流側接続ユニット１０と他方の仕切弁２ｂの間の既設本管３を新設本管３ａに更新する（第１の２工程）。
この後、上記接続ユニット１０の仕切弁１２を閉じたまま、その下流側分水栓１１ｂから、洗浄・殺菌液ａを注入し新設本管３ａの他方の仕切弁２ｂ側の端の排水栓１１ｃから排水して洗浄・殺菌した後、下流側分水栓１１ｂ及び排水栓１１ｃを閉じて、各引込管４を仮設配管３ｂから新設本管３ａに接続替えする。このとき、排水栓１１ｃの設置は、洗浄、殺菌する前であれば、何時でも良い。
【００２９】
この引込管４の接続替えが終われば、上記接続ユニット１０の上流側分水栓１１ａを閉じた後、接続ユニット１０の仕切弁１２と他方の仕切弁２ｂを開放するとともに、仮設配管３ｂを撤去し、新設本管３ａを布設した掘削溝Ｈ５を他方の仕切弁２ｂまで埋め戻し・舗装して、幹水管１ａ、１ｂの間の既設本管３の新設本管３ａの更新を完了する（第５の２工程、図１（ｅ））。この最終工程において、上記第４工程における下流側接続ユニット１０を新設本管３ａと他方の仕切弁２ｂの間に介設してその接続ユニット１０の分水栓１１ａ、１１ｂでもって上記排水栓１１ｃを代用しても良い。
【００３０】
因みに、両仕切弁２ａ、２ｂの間の既設本管３が一日で更新できる長さ（一定長さＬ）の場合は、図３に示すように、下流側の止水６ａは行わず、その止水は他方の仕切弁２ｂによって行い、掘削溝Ｈ５はその仕切弁２ｂまで形成し、埋め戻すこととなる。
すなわち、まず、両仕切弁２ａ、２ｂの間の既設本管３を掘り起こし、その掘り起こした既設本管３に不断水バルブ６を設けて、その不断水バルブ６と一方の仕切弁２ａの間に接続ユニット１０を介設する（第１、２工程  図３（ａ）から（ｂ））。
つぎに、仮設配管３ｂを接続して引込管４の接続替えを行い（第３工程  図３（ｂ）から（ｃ））、接続ユニット１０から他方の仕切弁２ｂの間の既設本管３を新設本管３ａに更新する（第４工程  図３（ｃ））。
さらに、洗浄・殺菌の後、各引込管４を仮設配管３ｂから新設本管３ａに接続替えし、その仮設配管３ｂを撤去した後、掘削溝Ｈ５を埋め戻す（第５工程  図３（ｃ）から（ｄ））。このとき、新設本管３ａの下流端には排水栓１１ｃを設けて、洗浄・殺菌水ａを排出し、その排出後にはその栓１１ｃを閉じる。
【００３１】
図４には、上記不断水バルブ６ａに代えて、凍結工法による止水Ｓを行った実施形態を示し、その止水Ｓ以外は、上記実施形態と同様の作業となる。この実施形態においても、両仕切弁２ａ、２ｂの間の既設本管３が一日で更新できる長さ（一定長さＬ）の場合は、図３に示した作業を準拠した作業となる。
【００３２】
上記各実施形態は、２本の幹水管１ａ、１ｂの間に仕切弁２ａ、２ｂをそれぞれ介してその端末が接続された既設本管３の更新の場合であったが、その他端が閉塞された既設本管３の場合の更新作業を図５、図６に示す。
図５（ａ）に示すように、まず、更新する既設本管３の全長に沿って掘削溝Ｈ５を掘削してその既設本管３を掘り起こす。つぎに、仕切弁２を閉止した後、上記と同様に、既設本管３の上流側の一部を撤去して接続ユニット１０を既設本管３に介設する（第１工程、図５（ａ））。
【００３３】
さらに、この接続ユニット１０が介設されれば、そのユニット１０の上流側の分水栓１１ａに仮設配管３ｂを接続してその仮設配管３ｂに各引込管４を接続する。この後、接続ユニット１０の仕切弁１２が閉止されていることを確認した上で、仕切弁２を開放して各需要家Ｔに給水する（第２工程）。このように、この実施形態では、各需要家Ｔへの給水停止は、接続ユニット１０の介設作業時間の間となり、接続ユニット１０であることから、その作業は短い時間によって行うことができる。
【００３４】
仮設配管３ｂによる給水が行われれば、接続ユニット１０より下流の既設本管３を新設本管３ａに更新し、その新設本管３ａを上記と同様にして洗浄・殺菌した後、仮設配管３ｂからその新設本管３ａに引込管４を接続替えし、仕切弁１２を開放して新設本管３ａによる各需要家Ｔへの給水を行う。その洗浄・殺菌時、新設本管の下流端は開放したり、分水栓１１ｃ（図１（ｅ）、図３（ｃ）、図６（ｂ）参照）を設けたりして、その排水を可能とする。その後、仮設配管３ｂを撤去すると共に、掘削溝Ｈ５は埋め戻して新設本管３ａを埋設し、舗装を行う（第３工程、図５（ｂ））。
【００３５】
既設本管３の全長を一度で更新し得ない場合（既設本管３が長くて、仕切弁２から一定長さＬの工区毎、その工区の既設本管３を新設本管３ａに更新する場合）は、まず、図６（ａ）〜（ｄ）に示す下記の第１〜第４工程によって更新を行う。
「第１工程」
更新する既設本管３をその仕切弁２から下流側一定長さＬ掘り起こし、仕切弁２を閉じた後、その仕切弁２と既設本管３の間に、その既設本管３の一部を撤去し、上記と同様の２個の分水栓１１ａ、１１ｂを有してその両分水栓の間に仕切弁１２を介設した管からなる接続ユニット１０−１を介設するとともに、更新する既設本管３の一定長さＬより下流側を止水バルブ６ａでもって止水する（図６（ａ））。
【００３６】
「第２工程」
上記接続ユニット１０−１の上流側の分水栓１１ａに仮設配管３ｂを接続し、その仮設配管３ｂを既設本管３に沿って布設するとともに、上記止水バルブ６ａより下流側の既設本管３に仮設配管３ｂの下流端を分水栓１１ｃを介して接続する。この作業が終われば、接続ユニット１０−１の仕切弁１２が閉じられていることを確認した後、上記幹水管１と既設本管３の間に介設された仕切弁２を開放して仮設配管３ｂに給水して各需要家Ｔに引込管４を介して給水可能とする（図６（ｂ））。このとき、仮設配管３ｂは、既設本管３の撤去用掘削溝Ｈ５内、又は、地上で交通の妨げにならない場所に配置し、埋め戻しは行わない。
【００３７】
「第３工程」
上記接続ユニット１０−１と上記止水バルブ６ａ間の既設本管３を新設本管３ａに更新するとともに、その新設本管３ａの下流端と上記下流側の止水バルブ６ａの間に前記接続ユニット１０−１と同一構成の接続ユニット１０−２を介設する。止水バルブ６ａは、上記仮設配管３ｂに通水する前までに介設すればよい。
【００３８】
「第４工程」
上記新設本管３ａ上流側接続ユニット１０−１の仕切弁１２を閉じたまま、その上流側接続ユニット１０−１の下流側分水栓１１ｂから、洗浄・殺菌液ａを注入し新設本管３ａ下流側接続ユニット１０−２の分水栓１１ａ、１１ｂから排水して洗浄・殺菌した後、新設本管３ａ上流側接続ユニット１０−１の下流側分水栓１１ｂを閉じて、各引込管４を仮設配管３ｂから新設本管３ａに接続替えする（図６（ｂ））。
この後、上流側接続ユニット１０−１の仕切弁１２を開放するとともに、仮設配管３ｂを撤去し、新設本管３ａを布設した上記掘削溝Ｈ５を、前記下流側接続ユニット１０−２の上流端まで埋め戻し、舗装する。
【００３９】
この作業によって、第１工区の更新が終了し、第２工区以降は、さらに、更新する既設本管３の上記下流側接続ユニット１０−２から一定長さＬを掘り起こし、その更新する既設本管３の一定長さＬの下流端を止水６ａする。以後、上記と同様な作業によって、既設本管３の新設本管３ａへの更新を行う（第１の１工程、第２の１工程、第３工程、第４工程、図６（ｃ））。
【００４０】
その更新する既設本管３の工区が既設本管３の上記止水された下流端に至れば、その更新する既設本管３の下流側接続ユニット１０−２から既設本管３の上記止水された下流端までを掘り起こし、以後、同様な作業によって、その止水下端までの既設本管３を新設本管３ａに更新する（第１の２工程、第２の２工程、第３の２工程、図６（ｄ））。
【００４１】
なお、この場合においても、洗浄・殺菌液の注入排出は、新設本管３ａ上流側接続ユニット１０の仕切弁１２を閉じたまま、その下流側接続ユニット１０の分水栓１１ａ又は１１ｂ、排水弁１１ｃから、洗浄・殺菌液ａを注入し新設本管３ａ上流側接続ユニット１の下流側分水栓１１ｂから排水して洗浄・殺菌した後、新設本管３ａ上流側接続ユニット１０の分水栓１１ａ及び１１ｂを閉じて、各引込管４を仮設配管３ｂから新設本管３ａに接続替えするようにすることができる。
【００４２】
上記各実施形態は、新設本管３ａに洗浄・殺菌液ａを注入して洗浄・殺菌する場合であったが、農水路等においてはその洗浄・殺菌を行う必要がない。このような場合は、各実施形態においてその洗浄・殺菌工程を省略することとなる。例えば、図１の実施形態においては、両分水栓１１ａ、１１ｂを有する接続ユニット１０を使用しても良いが、図７に示すように、接続ユニット１０は下流側の分水栓１１ｂを有しない、分水栓１１を有してその下流側に仕切弁１２を介設したものとし得る。作業工程は、その洗浄・殺菌工程が省略される以外は上記とほぼ同様となる。
【符号の説明】
【００４３】
１、１ａ、１ｂ  幹水管
２、２ａ、２ｂ  仕切弁
３  既設本管
３ａ  新設本管
３ｂ  仮設配管
４  引込管
６、６ａ  不断水バルブ
１０、１０−１、１０−２  接続ユニット
１１、１１ａ、１１ｂ  分水栓
１１ｃ  排水栓
１２  両受口形式ソフトシール弁（接続ユニットの仕切弁）
１３  乙切管
１４  継ぎ輪
Ｍ  水道メータ
Ｈ１〜Ｈ７  掘削溝
ａ  洗浄・殺菌水
【図１】
0005525318.tif 000002
【図２−１】
0005525318.tif 000003
【図２−２】
0005525318.tif 000004
【図２−３】
0005525318.tif 000005
【図２−４】
0005525318.tif 000006
【図３】
0005525318.tif 000007
【図４】
0005525318.tif 000008
【図５】
0005525318.tif 000009
【図６】
0005525318.tif 000010
【図７】
0005525318.tif 000011
【図８】
0005525318.tif 000012
【図９−１】
0005525318.tif 000013
【図９−２】
0005525318.tif 000014
【図９−３】
0005525318.tif 000015
【図１０−１】
0005525318.tif 000016
【図１０−２】
0005525318.tif 000017
【図１０−３】
0005525318.tif 000018
【図１０−４】
0005525318.tif 000019